(57)【特許請求の範囲】
【請求項１】
現像ギャップを挟んで像担持体に対面配置し、内包した固定磁石集成体の磁気力を利用して現像位置に現像剤搬送を行う回転スリーブと、該現像位置よりスリーブ回転方向上流側に対面配置した固定スリーブとよりなり、前記固定スリーブの両端支持部材により前記回転スリーブとの間の層厚規制間隔を保持して二成分現像剤の層厚規制をおこなう電子写真用現像装置において、
回転スリーブは、内包した固定磁石集成体の取り付け軸が一側に突出され該取り付け軸は回転スリーブの一側開口端を塞ぐ蓋に回転可能に嵌合し、回転スリーブの他側開口端を塞ぐ蓋は回転軸と一体化され、回転スリーブの直径より小さい固定スリーブの外径両端部と、回転スリーブの前記蓋を介して突出する取り付け軸と回転軸を、同一支持部材にて二点支持を行い、前記回転軸の端側を支持部材より突出させて該突出させた回転軸に回転スリーブギアを固着させて構成するとともに、該両スリ−ブ間の間隔を０．５５ｍｍ±１０％に且つ下記式で示される固定スリーブの、下記（１）式で示される最大撓み量δｍａｘを固定スリーブと回転スリーブの間隔の１０％以下となるように固定スリーブの線圧（ｋｇｆ／ｍｍ）を設定したことを特徴とする電子写真用現像装置。
0004106676.tif 000008
ただし、
0004106676.tif 000009
【発明の詳細な説明】
【０００１】
【発明の属する技術分野】
本発明は、像担持体周辺に複数の現像ユニットを対面配置し、各現像ユニットのトナー担持体における磁気シールドと解除を、時間差を持って行わせて選択的に現像を実施するようにしたカラー電子写真装置などにおける現像方法及び装置に関し、更に詳しくは固定磁石集成体を内部に有した回転スリーブの現像位置より上流側に回動可能マグネットを内包した固定スリーブを配し、回動可能マグネットの回動により回転スリーブへの磁気シールドと解除を行うと共に固定スリーブにより回転スリーブ上の現像剤の層厚規制をおこなうようにした現像ユニットにおいて、層厚規制位置における現像剤による固定スリーブへの押圧力で固定スリーブが撓む問題を解決するためになしたものである。
【０００２】
【従来の技術】
カラー電子写真装置においては、複数の色の現像剤が混ざり合わないようにしながら順次各色の現像を行う必要があるため、複数の現像ユニットを用意し、この現像ユニットを順次切り替えて各色の現像を行うようにしている。この現像ユニットの切り替え方法としては、例えば特開平８−１７１２６９号公報に示された装置のように、複数の現像ユニットをリボルバ機構などにより回転可能に構成し、所望の現像ユニットを現像位置に移動させて現像をおこなわせるもの、特開昭５９−６０４５３号公報や特開平６−２４２６６６号公報、及び特開平１１−２４９４２４号公報に示されているように、像担持体のまわりに複数の現像ユニットを配し、それを順次切り替えるようにするものなどが提案されている。
【０００３】
しかしながら、特開平８−１７１２６９号公報に示された装置のように、複数の現像ユニットを回転可能に構成するということは複雑な機構を必要とし、装置の大型化や高価格化を招いたり、現像ユニットが現像位置に来るまで待たねばならないためスピードの高速化を阻む要因となる。
【０００４】
また特開昭５９−６０４５３号公報や特開平６−２４２６６６号公報に示されたものは、回転スリーブ上の現像位置より回転方向上流側にゴムブレード等の規制板を接触させ、これによって回転スリーブ上への現像剤の供給、停止を行っており、像担持体のまわりに配した現像ユニットを切り替えるだけなので装置の大型化や高価格化を招くことはないが、ブレードに抗して回転スリーブを回転させるため、回転トルクが大きくなって省電力化が難しいという問題や、ブレードが回転スリーブに圧接しているときに擦り傷が生じ、回転スリーブから離間しているときでも現像剤の通過による摩擦が生じるため、ブレードの耐久性の面で問題があった。また、現像剤が現像ローラとブレード間を通過する際、現像剤を傷めて劣化させるという問題もあった。
【０００５】
これに対して特開平１１−２４９４２４号公報に示されたものは、固定磁石集成体を内部に有した回転スリーブの現像位置より上流側に回動可能マグネットを内包した固定スリーブを配し、回動可能マグネットの回動により回転スリーブへの磁気シールドと解除を行って現像ユニットを切り替えるようにしており、装置の大型化や高価格化を招くことがなく、省電力化が可能で、ブレードの耐久性や現像剤の劣化に対する問題も生じない。
【０００６】
以下、この特開平１１−２４９４２４号公報に示されたような、回転スリーブへの磁気シールドと解除を行って現像ユニットを切り替えるようにしたカラー電子写真装置の一例と、その現像ユニットについて説明する。
【０００７】
図２は上記したような現像ユニットを用いたカラー電子写真装置の断面図、図３は現像ユニットの断面図である。図２において、１は像担持体、２は光走査ユニット、３は帯電器、４から７は現像剤容器を含んだ現像ユニットで、これらの現像ユニットを順次切り替えて各色の現像ができるようになされている。８は記録媒体、９は記録媒体の搬送装置、１２は中間転写体、１３は２次転写ローラ、１４は定着器で、印刷時は各色毎にまず像担持体１を帯電器３で帯電し、光走査ユニット２で走査した画像を像担持体１上に結像させて潜像となす。そして各現像ユニット４から７で現像し、その画像をさらに中間転写体１２に転写した上で、図示しない給紙カセットから搬送される記録媒体８に２次転写ローラ１３で転写し、定着器１４で加熱・加圧して排紙する。
【０００８】
図３は、現像ユニット４の像担持体１の現像位置近傍で、各現像ユニット４を現像状態と非現像状態に切り替える機構を示す断面図である。図中２１は、取り付け軸２０ａに取り付けた固定磁石集成体２０を内部に持つ回転スリーブで、２２は回転スリーブ２１の現像位置Ａより回転方向上流側に配置され、中心軸２３ａを中心として回動可能なマグネット２３を配置してなる固定スリーブである。
【０００９】
このように構成した現像ユニット４において、現像を行っている場合は回動可能マグネット２３が図３（Ａ）のように固定磁石集成体２０の磁力に影響を与えない位置で停止しており、固定磁石集成体２０の磁力を利用して回転スリーブ２１上に担持させた現像剤２４を、固定スリーブ２２の周面と接触させて層厚規制した後、回転スリーブ２１の回転による搬送力で現像位置Ａへと運び、像担持体１の潜像を現像する（以下図３（Ａ）の現像ユニットの状態を穂出しと呼ぶ）。なお、回転スリーブ２１上の現像剤層厚は、回転スリーブ２１と固定スリーブ２２との距離ｄで規制される。
【００１０】
このような現像状態から現像を停止する場合は、図３（Ｂ）のように回動可能マグネット２３を中心軸２３ａで回転スリーブ２１の最近接点付近に移動させる。すると、回動可能マグネット２３のＳ極と固定磁石集成体２０の第１極のＳ極とで形成される反発磁界による磁気シールドで、現像剤２４は、回転スリーブ２１上の像担持体１側に行かなくなる（以下図３（Ｂ）の現像ユニットの状態を穂切りと呼ぶ）。
【００１１】
そのため回転スリーブ２１上の現像位置Ａ側の現像剤は、回転スリーブ２１の回転により現像ユニット４内に回収される。また、回動可能マグネット２３のＳ極から固定磁石集成体２０の第２極であるＮ極への吸引磁界が同時に生じており、回動マグネット２３と回転スリーブ２１の最近接位置より内側の現像剤は、この両極の間で拘束される。そしてこのようにシールド磁力と拘束磁力が固定磁石集成体２０の第２極と第１極間の磁力線を遮断するので磁力線が通らず、現像剤は回転スリーブ２１上を搬送されることなく図４（Ｃ）の状態で止まる。そのため、現像剤を他の現像ユニットへ混入させることや感光体上のトナー画像を乱すのを防ぐことができる。
【００１２】
【発明が解決しようとする課題】
しかしながら、以上説明してきたような現像ユニットにおける固定スリーブ２２は、内部でマグネット２３を回動可能とするため中空であり、また磁力への影響を小さくするため肉厚が薄く作られているため、回転スリーブ２１への現像剤層厚を規制する役目も持っているにもかかわらず強度を上げにくい。
【００１３】
前記特開昭５９−６０４５３号公報や特開平６−２４２６６６号公報に示された装置における層厚規制を行うドクターブレードは、強度のある部材を用いてブレードギャップを５／１００ｍｍ程度のばらつきに抑えているが、従来の固定スリーブ２２は、回転スリーブ２１の周速と、層厚規制位置における固定スリーブ２２と回転スリーブ２１の曲率半径などできまる現像剤による押圧力Ｐで、図４に誇張して示したように撓んでしまい、回転スリーブ２１の中央と両端で層厚ｄに違いが出て安定したトナー像を形成できないという問題があった。
【００１４】
上述の事情に鑑み本発明は、固定磁石集成体を内部に有した回転スリーブの現像位置より上流側に回動可能なマグネットを有した固定スリーブを配し、回転スリーブ上の現像剤の層厚規制を行うと共に回動可能マグネットの位置によって回転スリーブへの磁気シールドと解除を行うようにした電子写真用現像方法及び装置において、回転スリーブ上の現像剤層厚のばらつきが一定以下となるような撓み強度を固定スリーブに持たせた電子写真用現像方法及び装置を提供することが課題である。
【００１５】
【課題を解決するための手段】
上記課題を解決するため請求項１に記載した発明は、現像ギャップを挟んで像担持体に対面配置し、内包した固定磁石集成体の磁気力を利用して現像位置に現像剤搬送を行う回転スリーブと、該現像位置よりスリーブ回転方向上流側に対面配置した固定スリーブとよりなり、前記固定スリーブの両端支持部材により前記回転スリーブとの間の層厚規制間隔を保持して二成分現像剤の層厚規制をおこなう電子写真用現像装置において、
回転スリーブは、内包した固定磁石集成体の取り付け軸が一側に突出され該取り付け軸は回転スリーブの一側開口端を塞ぐ蓋に回転可能に嵌合し、回転スリーブの他側開口端を塞ぐ蓋は回転軸と一体化され、回転スリーブの直径より小さい固定スリーブの外径両端部と、回転スリーブの前記蓋を介して突出する取り付け軸と回転軸を、同一支持部材にて二点支持を行い、前記回転軸の端側を支持部材より突出させて該突出させた回転軸に回転スリーブギアを固着させて構成するとともに、該両スリ−ブ間の間隔を０．５５ｍｍ±１０％に且つ下記式で示される固定スリーブの、下記（１）式で示される最大撓み量δｍａｘを固定スリーブと回転スリーブの間隔の１０％以下となるように固定スリーブの線圧（ｋｇｆ／ｍｍ）を設定したことを特徴とする。
0004106676.tif 000002
ただし、
0004106676.tif 000003
【００１６】
このように、マグネットによる回転スリーブの磁気シールド解除後、回転スリーブの全面に現像剤が坦持されたとき、すなわち実際に現像が行える状態になったとき、層厚規制位置の現像剤による付勢圧で撓み変形する固定スリーブの最大撓み量を、回転スリーブと固定スリーブの間隔の１０％以内となるように固定スリーブの線圧（ｋｇｆ／ｍｍ）を設定することにより、回転スリーブ上の現像剤層厚のばらつきを一定以下に押さえて像担持体の現像を安定して行わせることができる。
【００１７】
【００１８】
【００１９】
そして、この固定スリーブに撓みをもたらす固定スリーブの線圧（ｋｇｆ／ｍｍ）は、固定スリーブ２２の保持部材による支持点間長さｌ（ｍｍ）を、Ａ４用紙の大きさに対応させる２１６ｍｍと、若しくはＡ３用紙の大きさに対応させる２９７ｍｍとした場合に、固定スリーブ直径を回転スリーブ直径より小さくするとともに、実際に最大撓み量δｍａｘを固定スリーブと回転スリーブの間隔の１０％以下となるように固定スリーブの肉厚と材質と、を選択して固定スリーブへの現像剤による押圧力を２ｋｇｆ以下となるように構成し、これを支持点間長さｌ（ｍｍ）で割れば得ることが出来る。
【００２０】
【００２１】
【００２２】
すなわち固定スリーブと回転スリーブの直径はなるべく小さくした方が装置の小型化に寄与できるが、曲率半径があまり小さくなると回転スリーブ２１の場合は内包する固定磁石集成体の小型化がむずかしくなると共に、周速を像担持体１の周速に合わせるため回転速度を早くする必要があり、また固定スリーブ２２では層厚規制位置における現像剤の付勢力が大きくなると共に撓み強度を持たせるのがむずかしくなる。そのため、撓み強度と装置小型化の兼ね合いで、固定スリーブ直径を回転スリーブ直径より小さくすることで、撓み強度を持たせた上で装置の小型化を達成することができる。
【００２３】
【００２４】
回転スリーブは、内包した固定磁石集成体の取り付け軸が一側に突出され該取り付け軸は回転スリーブの一側開口端を塞ぐ蓋に回転可能に嵌合し、回転スリーブの他側開口端を塞ぐ蓋は回転軸と一体化され、回転スリーブの直径より小さい固定スリーブの外径両端部と、回転スリーブの前記蓋を介して突出する取り付け軸と回転軸を、同一支持部材にて二点支持を行い、前記回転軸の端側を支持部材より突出させて該突出させた回転軸に回転スリーブギアを固着させて構成することで、中心軸で支持した場合に比較して、固定スリーブにより大きい撓み強度を持たせることができるとともに、固定スリーブによる層厚規制を正確に行うことができる。
【００２５】
【００２６】
【００２７】
【発明の実施の形態】
以下、本発明の実施の形態を例示的に詳しく説明する。但しこの実施の形態に記載されている構成部品の寸法、材質、形状、その相対配置などは特に特定的な記載がない限りは、この発明の範囲をそれのみに限定する趣旨ではなく単なる説明例に過ぎない。
【００２８】
図１は、本発明の電子写真用現像方法及び装置を説明するための回転スリーブと固定スリーブの構造を示した図であり、図２、図３と同一の構成要素には同一番号を付した。図中２１は回転スリーブで、内部にＮ極とＳ極に着磁し、取り付け軸２０ａに取り付けた固定磁石集成体２０を持つ。そして回転スリーブ２１は、取り付け軸２０ａに蓋２１ａ、２１ｂで回転可能に嵌合し、また蓋２１ｂに回転スリーブギア２７が固着されて固定磁石集成体２０のまわりを回転可能に配置されている。
【００２９】
２２は、回転スリーブ２１の現像位置Ａより回転方向上流側に配置され、中心軸２３ａを中心として回動可能なマグネット２３を配置してなる固定スリーブで、この固定スリーブ２２は、図示のように両端の外径を保持部材２５、２６に支持強度を持たせてしっかりと保持してある。この固定スリーブ２２の保持方法は、中を通っている回動可能マグネット２３の中心軸２３ａで保持する方法もあるが、この場合は固定スリーブ２２の両端に蓋をし、その中心を通る回動可能マグネット２３の中心軸２３ａで保持することになり、より撓みやすくなる。そのため保持部材２５、２６に支持強度を持たせて外径を保持することで、固定スリーブ２２の撓み強度を増すようにしている。またこの保持部材２５、２６は、固定スリーブ２２を保持すると共に、図示のように回転スリーブ２１の取り付け軸２０ａ、蓋２１ｂも保持し、このように両者を一体として保持することで、固定スリーブ２２と回転スリーブ２１の層厚規制用の間隔保持を容易にしている。
【００３０】
また図１において、ｄは回転スリーブ２１と固定スリーブ２２の間隔、ｄ１は固定スリーブ２２の外径、ｄ２は同じく固定スリーブ２２の内径である。
【００３１】
まず、固定スリーブ２２が撓む原因であるが、これは前記したように、内部で回動可能マグネット２３を回動可能とするため中空であると共に、磁力への影響を小さくするため肉厚が薄く作られており、強度を上げにくい構造であることがあげられる。また、固定スリーブ２２と回転スリーブ２１の層厚規制位置における間隔は０．５５ｍｍ±１０％程度であるが、この層厚規制位置に現像剤を運ぶ回転スリーブ２１は２７０ＲＰＭ程度で回転しており、また回転スリーブ２１内部の固定磁石集成体２０は、４００から７００ガウスの磁界強度を持っている。そのため、この回転数により回転スリーブ上に生じる周速と磁気力による現像剤搬送力が、層厚規制位置で固定スリーブ２２に押圧力を生じさせて撓みが出るわけである。
【００３２】
また、この押圧力は、固定スリーブ２２と回転スリーブ２１の間隔、及び曲率半径によっても異なってくる。すなわち図５（ａ）、（ｂ）に模式的に示したように、固定スリーブ２２と回転スリーブ２１の半径が（ａ）のように大きければ、層厚規制位置５０への現像剤２４の進入角度は小さくなるため押圧力は小さくなり、（ｂ）のように半径が小さければ（ａ）の場合に比して進入角が大きくなるためそれだけ押圧力は大きくなる。しかし、これら固定スリーブ２２と回転スリーブ２１の半径は大きくなるとそれだけ設置場所をとって装置の小型化ができなくなり、逆にあまり小さくすると、回転スリーブ２１の場合は内包する固定磁石集成体２０の小型化がむずかしくなると共に、周速を像担持体１の周速に合わせるため回転速度を早くする必要があり、また固定スリーブ２２では撓み強度を持たせるのがむずかしくなる。
【００３３】
またこの撓みが問題になるのは、図３（Ｃ）のように回動可能マグネット２３が穂切り位置で磁気シールドを形成している状態から、現像開始のためにマグネット２３が図３（Ａ）のように移動して磁気シールドを解除し、回転スリーブ２１上全面に現像剤が担持されて像担持体１への現像が開始された以降であり、前記したように回転スリーブ２１の回転で回転スリーブ２１上に生じる周速と磁気力による現像剤搬送力が、層厚規制位置で固定スリーブ２２に押圧力を生じさせて撓みが出るわけである。
【００３４】
実際の固定スリーブ２２の撓み量であるが、これは次の（１）式で最大撓み量δｍａｘが計算できる。
【数１】
0004106676.tif 000004
ただし、
【数２】
0004106676.tif 000005
である。
【００３５】
そのため、固定スリーブ２２の保持部材２５、２６による支持点間長さｌ（ｍｍ）を、Ａ４用紙の大きさに対応させることができる２１６ｍｍと、Ａ３用紙の大きさに対応させることができる２９７ｍｍとし、材料をヤング率（Ｅ）７０５０のアルミと、同じく１９７００のステンレス（ＳＵＳ３０４）、固定スリーブ２２の外径ｄ１を１０ｍｍと２０ｍｍ、肉厚を０．８ｍｍと２ｍｍに設定して実際に固定スリーブを作成し、電子写真装置に組み込んで印字状態の確認実験をすると共に、固定スリーブ線圧（ｋｇｆ／ｍｍ）×支持点間長さｌ（ｍｍ）を２ｋｇｆとして最大撓み量を計算した。その計算結果を表１、表２に示す。
【００３６】
【表１】
0004106676.tif 000006
【表２】
0004106676.tif 000007
【００３７】
その結果、表１に示した実施例１から８においては、層厚規制後、図３における現像位置Ａにおいて安定した画像形成を行うことができ、回転スリーブ２１上に現像剤が均一に担持されたものと考えられる。一方、表２に示した比較例１から８においては、現像位置Ａにおいて回転スリーブ２１のセンター部と両端部で現像剤量が異なり、安定した画像形成ができなかった。
【００３８】
すなわち前記したように、従来の層厚規制用ドクターブレードのブレードギャップは５／１００ｍｍ程度のばらつきに抑えられているが、表２に示した比較例の最大撓み量はこの値を超えており、逆に表１の実施例１から８はこの値以下になっている。層厚規制位置における固定スリーブ２２と回転スリーブ２１の間隔は、前記したように０．５５ｍｍ±１０％程度であるから、固定スリーブ２２の最大撓み量が、固定スリーブ２２と回転スリーブ２１の間隔の１０％以下となるように撓み強度を持たせればよいことがわかる。
【００３９】
また２成分現像剤は、トナーの粒径が５〜２０μ、キャリアの粒径が３０〜１００μ程度であるから、上記５／１００ｍｍという値は現像剤の平均粒径に相当し、固定スリーブ２２の最大撓み量をこの粒径以下に抑えるような強度を持たせることで、回転スリーブ２１上の現像剤層のばらつきを抑えることができる。
【００４０】
すなわち固定スリーブ２２を、表１に示したようなパラメータで作成することにより、上記のように撓み量を現像に悪影響を及ぼさない値とすることができる。
【００４１】
また、前記（１）式による計算において固定スリーブ線圧（ｋｇｆ／ｍｍ）×支持点間長さｌ（ｍｍ）を２ｋｇｆとしたが、前記したようにこの値は回転スリーブの周速と磁気力とによる現像剤搬送力、及び層厚規制位置の固定スリーブ２２と回転スリーブ２１の間隔と両者の曲率半径によって決まる。すなわち、現像剤搬送力が高くなればなるほどこの線圧は大きくなり、また固定スリーブ２２と回転スリーブ２１の間隔、及び曲率半径が小さくなるとやはりこの線圧は大きくなる。
【００４２】
しかし、これら固定スリーブ２２と回転スリーブ２１の半径は大きくなるとそれだけ設置場所をとって装置の小型化ができなくなり、逆にあまり小さくすると、回転スリーブ２１の場合は内包する固定磁石集成体の小型化がむずかしくなると共に、周速を像担持体１の周速に合わせるため回転速度を早くする必要があり、また固定スリーブ２２では撓み強度を持たせるのがむずかしくなる。
【００４３】
そのため回転スリーブ２１の直径を固定スリーブ２２の直径より大きくし、固定スリーブ２２は、前記した線圧（ｋｇｆ／ｍｍ）×支持点間長さｌ（ｍｍ）が２ｋｇｆに耐えられる撓み強度を持たせられる範囲で直径を小さくすることが好ましい。そのためＡ４やＡ３対応機では、回転スリーブ２１の直径をだいたい２５〜３０ｍｍ、固定スリーブ２２の直径を１０〜２０ｍｍ程度とするのが適当となる。
【００４４】
このように、固定スリーブ２２の材質、肉厚、外径、支持点間長さ、回転スリーブ２１の曲率半径、周速、内包する固定磁石集成体２０の磁力などを以上述べてきたような値とすることで、回動可能マグネット２３による磁気シールド解除後、回転スリーブ２１の回転に従って固定スリーブ２２で現像剤を層厚規制しながら回転スリーブ２１の全面に所定層厚の現像剤が坦持されたとき、回転スリーブ２１の長手方向両端側で二点支持されて前記層厚規制位置の上流側より付勢される現像剤の付勢圧により撓み変形する固定スリーブの最大撓み量が現像剤の粒径以下か、もしくは回転スリーブと固定スリーブの間隔の略１０％以内かのどちらか小さい方にすることができるわけである。
【００４５】
【発明の効果】
以上種々述べてきたように本発明によれば、回動可能マグネットによる回転スリーブの磁気シールド解除後、回転スリーブの全面に現像剤が坦持されたとき、すなわち実際に現像が行える状態になったとき、層厚規制位置の現像剤による付勢圧で撓み変形する固定スリーブの最大撓み量を回転スリーブと固定スリーブの間隔の１０％以内とすることにより、回転スリーブ上の現像剤層厚のバラツキを一定以下に抑えることができ、像担持体の現像を安定して行わせることができる。
【００４６】
【００４７】
【００４８】
また、固定スリーブと回転スリーブの直径はなるべく小さくした方が装置の小型化に寄与できるが、曲率半径があまり小さくなると回転スリーブ２１の場合は内包する固定磁石集成体の小型化がむずかしくなると共に、周速を像担持体１の周速に合わせるため回転速度を早くする必要があり、また固定スリーブ２２では層厚規制位置における現像剤の付勢力が大きくなると共に撓み強度を持たせるのがむずかしくなる。そのため、撓み強度と装置小型化の兼ね合いで、固定スリーブ直径を回転スリーブ直径より小さくすることで、撓み強度を持たせた上で装置の小型化が達成できる。
【００４９】
また、固定スリーブ２２は、保持部材２５、２６で外径支持することで、中心軸で支持した場合に比較して、固定スリーブにより大きい撓み強度を持たせることができる。
【００５０】
また、固定スリーブ２２と回転スリーブ２１を同一保持部材２５、２６で支持することで、固定スリーブ２２による層厚規制を正確に行うことができる。
【図面の簡単な説明】
【図１】  本発明の要部構成を説明するための断面図である。
【図２】  像担持体の周りに配した複数の現像ユニットを切り替えて現像を行うようにした電子写真装置の断面図である。
【図３】  像担持体の現像位置近傍における１つの現像ユニットの断面図である。
【図４】  固定スリーブの撓みを説明するための図である。
【図５】  固定スリーブと回転スリーブの大きさと押圧力を説明するための図である。
【符号の説明】
２０    固定磁石集成体
２０ａ  取り付け軸
２１    回転スリーブ
２１ａ、２１ｂ  蓋
２２    固定スリーブ
２３    回動可能なマグネット
２３ａ  中心軸
２５、２６  保持部材
２７    回転スリーブギア
【図１】
0004106676.tif 000010
【図２】
0004106676.tif 000011
【図３】
0004106676.tif 000012
【図４】
0004106676.tif 000013
【図５】
0004106676.tif 000014